(57)【特許請求の範囲】
【請求項１】
左右の躯体間の目地部側の一方の躯体に後端部がヒンジ部材で回動可能に取付けられた一方の壁目地プレートと、該一方の壁目地プレートの先端部に一端部が取り付けられ、他端部が他方の躯体の壁面に取り付けられた、前記一方の壁目地プレートの先端部を内方に付勢する一方の付勢装置と、前記一方の壁目地プレートと対応する部位の他方の躯体に後端部がヒンジ部材で回動可能に、かつ、先端部が前記一方の壁目地プレートの先端部付近に位置するように取付けられた他方の壁目地プレートと、該他方の壁目地プレートの先端部に一端部が取り付けられ、他端部が一方の躯体の壁面に取り付けられた、前記他方の壁目地プレートの先端部を内方に付勢する他方の付勢装置と、前記一方の壁目地プレートの後端部付近に設けられ、内方への回動を制限する一方のストッパーと、該一方のストッパーと前記一方の壁目地プレート又は一方の躯体の壁面が磁力により吸着するように設けられたマグネットと、前記他方の壁目地プレートの後端部付近に設けられ、内方への回動を制限する他方のストッパーと、該他方のストッパーと前記他方の壁目地プレートあるいは他方の躯体の壁面が磁力により吸着するように設けられたマグネットとより構成され、前記一方の壁目地プレートの先端部にはワイヤーが通過可能なワイヤー通過溝が形成されるとともに、前記他方の付勢装置のワイヤーは、前記ワイヤー通過溝を通過して他方の壁目地プレートの先端部に固定され、左右の躯体間の目地部が狭くなった場合に、前記他方の付勢装置のワイヤーが前記一方の壁目地プレートのワイヤー通過溝を外方に押すことによって、前記一方の壁目地プレートが外方に回動し、前記一方の壁目地プレートと前記他方の壁目地プレートが合掌状態で揺れ動きを吸収することを特徴とする壁面用目地装置。
【請求項２】
前記一方の壁目地プレートの先端部の背面側には傾斜面が形成されていることを特徴とする請求項１に記載の壁面用目地装置。
【発明の詳細な説明】
【技術分野】
【０００１】
本発明は目地部を介して設けられた左右の躯体間の目地部を塞ぐ壁面用目地装置に関する。
【背景技術】
【０００２】
従来、この種の壁面用目地装置はヒンジにより後端部が躯体に取り付けられ、地震により躯体が揺れ動き目地部が狭くなった場合には、壁目地プレートが外方へ回動することにより壁目地プレートや躯体等が破損することなく揺れ動きを吸収できるように構成されている。
【０００３】
しかし、このような壁面用目地装置では、壁目地プレートを外方へ回動させるために、壁目地プレートの先端部に傾斜面が形成されており、壁目地プレートが外方へ回動した場合、鋭利な先端部が露出し危険であるという欠点があった。
【０００４】
また、このような壁面用目地装置の壁目地プレートは、内側に付勢された状態となっているが、ヒンジのみで躯体に取り付けられているため、通常時においても壁目地プレートが風によってガタつく等の欠点があった。
【先行技術文献】
【特許文献】
【０００５】
【特許文献１】特許第４０９４６２０号公報
【発明の概要】
【発明が解決しようとする課題】
【０００６】
本発明は以上のような従来の欠点に鑑み、鋭利な先端部が外方へ突出することなく地震による躯体の揺れ動きを吸収できるとともに、通常時においても壁目地プレートのガタツキを防止することができる壁面用目地装置を提供することを目的としている。
【０００７】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００８】
上記目的を達成するために、本発明は左右の躯体間の目地部側の一方の躯体に後端部がヒンジ部材で回動可能に取付けられた一方の壁目地プレートと、該一方の壁目地プレートの先端部に一端部が取り付けられ、他端部が他方の躯体の壁面に取り付けられた、前記一方の壁目地プレートの先端部を内方に付勢する一方の付勢装置と、前記一方の壁目地プレートと対応する部位の他方の躯体に後端部がヒンジ部材で回動可能に、かつ、先端部が前記一方の壁目地プレートの先端部付近に位置するように取付けられた他方の壁目地プレートと、該他方の壁目地プレートの先端部に一端部が取り付けられ、他端部が一方の躯体の壁面に取り付けられた、前記他方の壁目地プレートの先端部を内方に付勢する他方の付勢装置と、前記一方の壁目地プレートの後端部付近に設けられ、内方への回動を制限する一方のストッパーと、該一方のストッパーと前記一方の壁目地プレート又は一方の躯体の壁面が磁力により吸着するように設けられたマグネットと、前記他方の壁目地プレートの後端部付近に設けられ、内方への回動を制限する他方のストッパーと、該他方のストッパーと前記他方の壁目地プレートあるいは他方の躯体の壁面が磁力により吸着するように設けられたマグネットとより構成され、前記一方の壁目地プレートの先端部にはワイヤーが通過可能なワイヤー通過溝が形成されるとともに、前記他方の付勢装置のワイヤーは、前記ワイヤー通過溝を通過して他方の壁目地プレートの先端部に固定され、左右の躯体間の目地部が狭くなった場合に、前記他方の付勢装置のワイヤーが前記一方の壁目地プレートのワイヤー通過溝を外方に押すことによって、前記一方の壁目地プレートが外方に回動し、前記一方の壁目地プレートと前記他方の壁目地プレートが合掌状態で揺れ動きを吸収することを特徴とする。
【発明の効果】
【０００９】
以上の説明から明らかなように、本発明にあっては次に列挙する効果が得られる。
（１）請求項１の発明においては、左右の壁目地プレートを回動可能に設けているので、地震によって躯体が左右方向に揺れ動き、目地部が狭くなった場合に、左右の壁目地プレートが合掌状態で外方に回動させることができる。
したがって、壁目地プレートの鋭利な先端部が外方へ突出することを防止できる。
（２）マグネットの磁力によって壁目地プレートがストッパーに密着するので、通常時において風等により壁目地プレートがガタつくことを確実に防止することができる。
（３）請求項２の発明においても前記（１）、（２）と同様な効果が得られるとともに、一方の壁目地プレートに干渉することなく他方の壁目地プレートの先端部にワイヤーを固定することができる。
（３）請求項３の発明においても前記（１）〜（３）と同様な効果が得られるとともに、目地部が狭くなった際に一方の壁目地プレートが他方の壁目地プレートに引っかかることなくスムーズに回動することができる。
【図面の簡単な説明】
【００１０】
【図１】本発明を実施するための第１の形態の正面図。
【図２】本発明を実施するための第１の形態の背面図。
【図３】図１の３−３線に沿う断面図。
【図４】本発明を実施するための第１の形態の一方の壁目地プレートの説明図。
【図５】本発明を実施するための第１の形態の他方の壁目地プレートの説明図。
【図６】本発明を実施するための第１の形態の地震で目地部が狭くなった場合の動作説明図。
【図７】本発明を実施するための第１の形態の地震で目地部が広くなった場合の動作説明図。
【図８】本発明を実施するための第１の形態の地震で前後方向に場合の動作説明図（１）。
【図９】本発明を実施するための第１の形態の地震で前後方向に場合の動作説明図（２）。
【図１０】本発明を実施するための第２の形態の正面図。
【図１１】本発明を実施するための第２の形態の背面図。
【図１２】図１０の１２−１２線に沿う断面図。
【図１３】本発明を実施するための第３の形態の正面図。
【図１４】本発明を実施するための第２の形態の背面図。
【図１５】図１３の１５−１５線に沿う断面図。
【図１６】本発明を実施するための第３の形態の地震で目地部が狭くなった場合の動作説明図。
【発明を実施するための形態】
【００１１】
以下、図面に示す本発明を実施するための形態により、本発明を詳細に説明する。
図１ないし図９に示す本発明を実施するための第１の形態において、１は目地部２を介して設けられた一方の躯体３と他方の躯体４の外壁間の目地部２を塞ぐ壁面用目地装置で、この壁面用目地装置１は、左右の躯体間の目地部側の一方の躯体３の壁面３ａに後端部５ａがヒンジ部材６で回動可能に取付けられた一方の壁目地プレート５と、該一方の壁目地プレート５の先端部５ｂに一端部が取り付けられ、他端部が他方の躯体の壁面４ａに取り付けられ、前記一方の壁目地プレートの先端部５ｂを内方に付勢する一方の付勢装置７と、前記一方の壁目地プレート５と対応する部位の他方の躯体４の壁面４ａに後端部８ａがヒンジ部材９で回動可能に、かつ、先端部８ｂが前記一方の壁目地プレート５の先端部５ｂ付近に位置するように取付けられた他方の壁目地プレート８と、該他方の壁目地プレート８の先端部に一端部が取り付けられ、他端部が一方の躯体３の外壁面３ａに取り付けられ、前記他方の壁目地プレート８の先端部８ｂを内方に付勢する他方の付勢装置１０と、前記一方の壁目地プレート５の後端部付近に当接するように設けられ、通常時において前記一方の壁目地プレート５が前記左右の躯体の外壁面３ｂ、４ｂと略面一になるように、内方への回動を制限する一方のストッパー１１と、前記他方の壁目地プレート８の後端部付近に当接するように設けられ、通常時において前記他方の壁目地プレート８が前記左右の躯体の外壁面３ｂ、４ｂと略面一になるように、内方への回動を制限する他方のストッパー１２と、前記一方のストッパー１１および他方のストッパー１２に設けられたマグネット２１とで構成されている。
【００１２】
なお、左右方向とは図１（正面視）における左右方向であり、前後方向とは図１における奥手前方向（図３における上下方向）をいい、外方とは図１における手前方向（図３における下方向）、内方とは図１における奥方向（図３における上方向）をいう。
また、本発明において躯体とは、建物、スラブ、エレベーターシャフト等の壁面を有する建造物をいう。
【００１３】
前記一方の壁目地プレート５は、正面視長方形のプレートであり、後端部５ａがヒンジ部材６を介して回動可能に一方の躯体３の壁面３ａに取り付けられ、先端部５ｂには他方の壁目地プレート８の先端部８ａを支持する傾斜面状の支持部１３が形成されている。
【００１４】
また、先端部５ｂには他方の付勢装置１０のワイヤー１４を通過させるためのワイヤー通過溝１５が形成されており、このワイヤー通過溝１５に他方の付勢装置１０のワイヤー１４を通過させて他方の壁目地プレートの先端部８ｂを付勢することにより、通常時はワイヤー１４が一方の壁目地プレート５に接触し前方へ押し出す等、干渉することなく、他方の壁目地プレート８の先端部８ｂにワイヤー１４を固定することができる。
さらに、一方の壁目地プレート５の先端部の背面側には傾斜面２５が形成されており、一方の壁目地プレート５の先端部は、断面山型状に形成されている。
【００１５】
前記他方の壁目地プレート８は、後端部８ａがヒンジ部材９を介して回動可能に他方の躯体４の壁面４ａに取り付けられ、先端部８ｂは前記一方の壁目地プレート５の支持部１３に対応する傾斜面１６が形成されている。該傾斜面１６には前記他方の付勢装置１０のワイヤー１４が接続されている。なお、本実施の形態において、傾斜面１６は前記一方の壁目地プレート５の支持部１３に支持されている。
【００１６】
なお、一方の壁目地プレート５および他方の壁目地プレート８は、マグネット２１に吸着可能な磁性材質で形成されており、本実施の形態においては、磁性ステンレスが用いられている。
【００１７】
前記一方の付勢装置７は、前記一方の壁目地プレート５の先端部５ｂの背面側に一端が固定され、他端が前記他方の建物４の壁面４ａにコイルスプリング１７を介して固定されたワイヤー１８とで構成されている。
【００１８】
前記他方の付勢装置１０は、前記他方の壁目地プレート８の先端部８ｂの背面側に一端が固定され、他端が前記他方の建物３の壁面３ａにコイルスプリング１９を介して固定されたワイヤー１４とで構成されている。なお、このワイヤー１４は前述したように一方の壁目地プレート５に形成されたワイヤー通過溝１５を通過させた状態で前記他方の壁目地プレート８の傾斜面１６に固定されている。
【００１９】
前記一方のストッパー１１は、アングル状の金具２０にリブ２１を形成し、一方の建物３の壁面３ａにビス等で固定されており、前記金具２０の一方の壁目地プレート５と当接する部位には、マグネット２２が取り付けられている。
【００２０】
他方のストッパー１２は、アングル状の金具２０にリブ２１を形成し、他方の建物４の壁面４ａにビス等で固定されており、前記金具２０の一方の壁目地プレート５と当接する部位には、マグネット２２が取り付けられている。
【００２１】
地震で躯体３、４が左右方向に揺れ動き目地部２が狭くなると、図６に示すように、他方の壁目地プレート８の先端部８ｂが一方の壁目地プレート５の先端部５ｂに形成された支持部１３によって、外方へ突出するように少し回動する。その後、他方の壁目地プレート８の先端部８ｂに固定されたワイヤー１４によりワイヤー通過溝１５が外方へ押され、一方の壁目地プレート５も外方へ回動する。
【００２２】
その後さらに目地部が狭くなると一方の壁目地プレート５と他方の壁目地プレート８はお互いに押し合い、外方へ回動する。
【００２３】
このような作用により、一方の壁目地プレート５および他方の壁目地プレート８は合掌状態で外方へ回動し、地震による揺れ動きを吸収する。地震による揺れ動きが収まると、付勢装置７、１０の付勢力により、内方に回動し、ストッパー１１、１２により左右の躯体３、４の外壁面３ｂ、４ｂとほぼ平行となり、通常状態に復帰する。
【００２４】
このように目地部が狭くなっても合掌状態で壁目地プレートが外方へ突出するため、左右の躯体３、４の外壁面３ｂ、４ｂ、一方の壁目地プレート５および他方の壁目地プレート８が連続した状態となり、鋭利な先端部が外方へ突出することなく目地部を塞ぐことができる。
【００２５】
地震で躯体３、４が左右方向に揺れ動き目地部２が広くなると、図７に示すように、一方の壁目地プレート５および他方の壁目地プレート８は、左右の躯体３、４の外壁面３ｂ、４ｂとほぼ平行の状態を保ったまま左右方向にスライド移動し、揺れ動きを吸収する。
【００２６】
地震で躯体３、４が異なる前後方向に揺れ動くと、図８および図９に示すように、一方の付勢装置のワイヤー１８が他方の壁目地プレート８を外方へ回動させる又は、他方の付勢装置のワイヤー１４が一方の壁目地プレート５を外方へ回動させてその揺れ動きを吸収する。
【００２７】
なお、一方の壁目地プレート５および他方の壁目地プレート８は全体を磁性材料で構成しているが、マグネット２２が位置する部位のみ磁性材料を設けてもよい。
【００２８】
[発明を実施するための異なる形態]
次に、図１０ないし図１５に示す本発明を実施するための異なる形態につき説明する。
なお、これらの本発明を実施するための異なる形態の説明に当って、前記本発明を実施するための第１の形態と同一構成部分には同一符号を付して重複する説明を省略する。
図１０ないし図１２に示す本発明を実施するための第２の形態において、前記本発明を実施するための第１の形態と主に異なる点は、ワイヤー１４、１８の他端に滑車２３を介して重り２４を備え、該重り２４の重みで一方の壁目地プレート５または他方の壁目地プレート８を内方に付勢する一方の付勢装置７Ａおよび他方の付勢装置１０Ａを用いた点で、このような壁面用目地装置１Ａにしても本発明を実施するための第１の形態と同様の作用効果を得られる。
【００２９】
図１３ないし図１６に示す本発明を実施するための第３の形態において、前記本発明を実施するための第１の形態と主に異なる点は、一方の壁目地プレート５に固定され、一方の躯体３の壁面３ａ側にマグネット２２を備えた一方のストッパー１１Ａと、他方の壁目地プレート８に固定され、他方の躯体４の壁面４ａ側にマグネット２２を備えた他方のストッパー１２Ａとを用い、前記一方のストッパー１１Ａのマグネット２２が当接する部位の一方の躯体３の壁面３ａおよび前記他方のストッパー１２Ａのマグネット２２が当接する部位の一方の躯体４の壁面４ａに磁性材料のプレート２５を固定した点で、このような壁面用目地装置１Ｂにしても本発明を実施するための第１の形態と同様の作用効果を得られる。
【００３０】
なお、本発明の実施の形態において、一方の付勢装置および他方の付勢装置は、それぞれ１つのみ設けたが、複数備えるものでもよく、また、一方のストッパー１１および他方のストッパー１２はそれぞれ複数備えているが、それぞれ１つのみ設けてもよい。
また、本実施の形態においては、マグネットをストッパーに設け、壁目地プレートまたは躯体の壁面に磁性材料を設けたが、本発明はこれに限られず、ストッパーを磁性材料とし、壁目地プレートまたは躯体の壁面にマグネットを備えてもよい。
【産業上の利用可能性】
【００３１】
本発明は壁面用目地装置を製造する産業で利用される。
【符号の説明】
【００３２】
１、１Ａ、１Ｂ：壁面用目地装置、  ２：目地部、
３：一方の躯体、                  ４：他方の躯体、
５：一方の壁目地プレート、        ６：ヒンジ部材、
７、７Ａ：一方の付勢装置、        ８、８Ａ：他方の壁目地プレート、
９、９Ａ：ヒンジ部材、            １０、１０Ａ：他方の付勢装置、
１１、１１Ａ：一方のストッパー、  １２、１２Ａ：他方のストッパー、
１３：支持部、                    １４：ワイヤー、
１５：ワイヤー通過溝、            １６：傾斜面、
１７：コイルスプリング、          １８：ワイヤー、
１９：コイルスプリング            ２０：金具、
２１：リブ、                      ２２：マグネット、
２３：滑車、                      ２４：重り、
２５：プレート。
【要約】      （修正有）【課題】鋭利な先端部が外方へ突出することなく地震による躯体の揺れ動きを吸収でき、通常時においても壁目地プレートのガタツキを防止できる壁面用目地装置を提供する。【解決手段】左右の躯体間の目地部側の一方の躯体３に後端部５ａがヒンジ部材６で回動可能に取付けられた一方の壁目地プレート５と、一方の壁目地プレート５の先端部５ｂに一端部が取り付けられ、他端部が他方の躯体４の壁面４ａに取り付けられ、一方の壁目地プレートの先端部５ｂを内方に付勢する一方の付勢装置７と、他方の躯体４に後端部８ａがヒンジ部材９で回動可能に、かつ、先端部８ｂが一方の壁目地プレート５の先端部５ｂ付近に位置するように取付けられた他方の壁目地プレート８と、他方の壁目地プレート８の先端部に一端部が取り付けられ、他端部が一方の躯体３の壁面３ａに取り付けられ、他方の壁目地プレート８の先端部８ｂを内方に付勢する他方の付勢装置１０とを、備える。【選択図】図１【図１】
0006005796.tif 000002
【図２】
0006005796.tif 000003
【図３】
0006005796.tif 000004
【図４】
0006005796.tif 000005
【図５】
0006005796.tif 000006
【図６】
0006005796.tif 000007
【図７】
0006005796.tif 000008
【図８】
0006005796.tif 000009
【図９】
0006005796.tif 000010
【図１０】
0006005796.tif 000011
【図１１】
0006005796.tif 000012
【図１２】
0006005796.tif 000013
【図１３】
0006005796.tif 000014
【図１４】
0006005796.tif 000015
【図１５】
0006005796.tif 000016
【図１６】
0006005796.tif 000017